(57)【要約】【課題】移動体端末のハンドオーバ処理に先立って所定範囲内の基地局のリソースを予約し、スムーズなハンドオーバを実現することを目的とする。【解決手段】移動局と基地局からなる移動通信システムにおけるハンドオーバ制御方法であり、移動局に近い基地局の中から、前記移動局毎に固有の優先度に基づいて決定した数の基地局のリソースをハンドオーバ処理に先立って予約し、ハンドオーバ処理時に先の予約リソースを使用して移動先基地局下での通信を開始するもので、移動局に近い基地局の中から、移動局に固有の優先度により決定した数の基地局に対して、ハンドオーバ用のリソースを予約するもので、複数の基地局のリソースを予約することで、スムーズなハンドオーバを実現する。【選択図】  図１
2004266713.tif 000002
【特許請求の範囲】
【請求項１】
移動局と基地局からなる移動通信システムにおけるハンドオーバ制御方法であり、移動局に近い基地局の中から、前記移動局毎に固有の優先度に基づいて決定した数の基地局のリソースをハンドオーバ処理に先立って予約し、ハンドオーバ処理時に先の予約リソースを使用して移動先基地局下での通信を開始することを特徴とするハンドオーバ制御方法。
【請求項２】
リソース予約する基地局数は、移動局固有の優先度及び移動局の移動速度に基づいて決定することを特徴とする請求項１に記載のハンドオーバ制御方法。
【請求項３】
リソース予約する基地局数は、移動局固有の優先度及び移動局の通信時間に応じて決定することを特徴とする請求項１または２に記載のハンドオーバ制御方法。
【請求項４】
リソース予約する基地局数は、移動局固有の優先度及び移動局上で使用されるアプリケーションに応じて決定することを特徴とする請求項１乃至３のいずれかに記載のハンドオーバ制御方法。
【請求項５】
移動局毎のリソース予約は、基地局単位で予約の発生順に管理し、予約したリソースを使用せずに予約を削除する場合には、最も古いものから削除することを特徴とする請求項１乃至４のいずれかに記載のハンドオーバ制御方法。
【請求項６】
リソースとは移動局と基地局間の無線チャネルまたはデータ伝送レートであることを特徴とする請求項１乃至５のいずれかに記載のハンドオーバ制御方法。
【請求項７】
少なくとも１以上の基地局と通信する基地局インタフェースと、現在通信中の基地局以外の１以上の基地局のリソースを、移動局装置に固有の優先度に基づいて決定した複数の基地局にハンドオーバ処理に先立ってリソース予約するリソース予約処理部とを具備することを特徴とする移動局装置。
【請求項８】
前記リソース予約処理部は、移動局固有の優先度及び移動局の移動速度に応じてリソース予約する基地局数を決定することを特徴とする請求項７に記載の移動局装置。
【請求項９】
前記リソース予約処理部は、移動局固有の優先度及び通信時間に応じてリソース予約する基地局数を決定することを特徴とする請求項７または８に記載の移動局装置。
【請求項１０】
前記リソース予約処理部は、移動局固有の優先度及び移動局上で使用されるアプリケーションに応じてリソース予約する基地局数を決定することを特徴とする請求項７乃至９のいずれかに記載の移動局装置。
【請求項１１】
前記リソースとは移動局と基地局間の無線チャネルまたはデータ伝送レートであることを特徴とする請求項７乃至１０のいずれかに記載の移動局装置。
【請求項１２】
１以上の移動局と通信する移動局インタフェースと、空きリソースと、現在使用中のリソースと、移動局毎にハンドオーバ処理に先立って確保する予約リソースとを管理し、新規接続を要求する移動局に対しては、空きリソースを割り当て、ハンドオーバを要求する移動局に対しては、リソースが予約されていれば、予約リソースを割り当て、予約されていないが空きリソースがある場合には、空きリソースを割り当てるリソースの管理をするリソース管理部とを備えたことを特徴とする基地局装置。
【請求項１３】
前記リソース管理部は、移動局の予約を発生順に管理し、予約したリソースを使用せずに予約を削除する場合には、最も古いものから削除することを特徴とする請求項１２に記載の基地局装置。
【請求項１４】
前記リソースとは移動局と基地局間の無線チャネルまたはデータ伝送レートであることを特徴とする請求項１２または１３に記載の基地局装置。
【請求項１５】
請求項７乃至１１のいずれかに記載の移動局装置と、請求項１２乃至１４のいずれかに記載の基地局装置とからなる移動通信システムであり、前記移動局装置は、移動局装置固有の優先度に基づいて決定した数の基地局のリソースをハンドオーバ処理に先立って予約し、ハンドオーバ処理時に先の予約リソースを使用して移動先基地局下での通信を開始することを特徴とする移動通信システム。
【請求項１６】
移動局装置と、請求項１３乃至１４のいずれかに記載の基地局装置と、少なくとも１つの基地局装置と通信する基地局インタフェースと、移動局の位置情報及び優先度を管理する移動局情報管理部と、前記移動局装置の優先度に基づいて決定した数の移動局装置周辺の基地局に対して、ハンドオーバ用リソースを予約するリソース予約部とからなる資源予約装置と、を具備したことを特徴とする移動通信システム。
【請求項１７】
前記リソースは、移動局装置と基地局装置間の無線チャネル、またはデータ伝送レートであることを特徴とする請求項１５または１６に記載の移動通信システム。
【発明の詳細な説明】
【０００１】
【発明の属する利用分野】
本発明は、携帯電話や無線ＬＡＮ網に代表される移動体通信の移動局を制御する制御システムに係り、特に、移動局が通信の相手方の基地局を切り替えるハンドオーバ制御方法及び移動通信システムに関する。
【０００２】
【従来の技術】
セルラー形式の携帯電話や無線ＬＡＮ等を用いた移動体ネットワークにおいては、端末が移動しても接続を維持するために、いわゆるハンドオーバと呼ばれる処理が重要である。例としてセルラー方式の携帯電話の場合、ある基地局がカバーするセル内で通信中の移動局が、他の基地局のセルへ移動する場合、移動先の基地局の通信チャネルに空きがあれば、チャネルの割り当てを受けて通信を継続することができる。この処理をハンドオーバと呼ぶ。
【０００３】
ところが、前述の例で移動先の基地局の通信チャネルに空きがない場合には、チャネルの割り当てを受けられずに通信が切断されてしまう。
【０００４】
そこで、例えば特許文献１では、移動局の移動先を受信電界強度により予測し、移動先の基地局に対して、移動先情報を移動局の到着予測時刻にあらかじめチャネルを確保しておくことにより、回線切断や瞬断の少ない効率的通信を可能としている。更に呼に優先度を付けて、高い優先度の呼に優先的にチャネルを割り当てることで、リアルタイム通信の品質を高く保つことを可能としている。
【０００５】
【特許文献１】
特開平９−４６７５３号公報
【０００６】
【発明が解決しようとする課題】
しかし、前述の特許文献１の方法では、移動先基地局と到達時刻を予測する必要があり、移動局が不規則に移動したり、高速移動したりする場合には予測が困難になるという課題があった。
【０００７】
本発明は、移動局に固有の優先度により決定した複数の基地局に対してハンドオーバ用のリソースを予約することで、ハンドオーバの成功率を高めることを目的とする。
【０００８】
【課題を解決するための手段】
この課題を鑑みて、本発明は、移動局に近い基地局の中から、移動局に固有の優先度により決定した数の基地局に対して、ハンドオーバ用のリソースを予約するもので、複数の基地局のリソースを予約することで、ハンドオーバの成功率を高めることができる。また、優先度の高い移動局に対しては、多くの基地局に対してリソースを予約することで、ハンドオーバの成功率を高めることができる。
【０００９】
【発明の実施の形態】
本発明の請求項１に記載の発明は、移動局と基地局からなる移動通信システムにおけるハンドオーバ制御方法であり、移動局に近い基地局の中から、前記移動局毎に固有の優先度に基づいて決定した数の基地局のリソースをハンドオーバ処理に先立って予約し、ハンドオーバ処理時に先の予約リソースを使用して移動先基地局下での通信を開始することにより、優先度が高いほど広範囲のリソースを予約することができ、スムーズなハンドオーバを実現することができる、という作用を有する。
【００１０】
請求項２に記載の発明は、請求項１に記載のハンドオーバ制御方法において、リソース予約する基地局数を、移動局固有の優先度及び移動局の移動速度に基づいて決定することとしたものであり、移動局の移動速度が速いほど広範囲の基地局のリソースを予約できる、という作用を有する。
【００１１】
請求項３に記載の発明は、請求項１または２に記載のハンドオーバ制御方法において、リソース予約する基地局数を、移動局固有の優先度及び移動局の通信時間に応じて決定することとしたものであり、移動局の通信時間が長い、すなわち従量制課金の場合に通信料金を多く支払うユーザに対して、より広範囲の基地局のリソースを予約できる、という作用を有する。
【００１２】
請求項４に記載の発明は、請求項１乃至３のいずれかに記載のハンドオーバ制御方法において、リソース予約する基地局数を、移動局固有の優先度及び移動局上で使用されるアプリケーションに応じて決定することとしたものであり、高料金のアプリケーションや、リソース不足によって品質が著しく低下するようなアプリケーションに対して、より広範囲の基地局のリソースを予約できる、という作用を有する。
【００１３】
請求項５に記載の発明は、請求項１乃至４記載のハンドオーバ制御方法において、移動局毎のリソース予約を、基地局単位で予約の発生順に管理し、予約したリソースを使用せずに予約を削除する場合には、最も古いものから削除することとしたものであり、予約の管理を簡素化できる、という作用を有する。
【００１４】
請求項６に記載の発明は、請求項１乃至５のいずれかに記載のハンドオーバ制御方法において、リソースを移動局と基地局間の無線チャネルまたはデータ伝送レートとしたものであり、無線チャネルの確保だけでなく、通信品質の維持に不可欠なデータ伝送レートを確保することで、通信品質を維持したままハンドオーバ処理が行えるようになる、という作用を有する。
【００１５】
請求項７に記載の発明は、少なくとも１以上の基地局と通信する基地局インタフェースと、現在通信中の基地局以外の１以上の基地局のリソースを、移動局装置に固有の優先度に基づいて決定した複数の基地局にハンドオーバ処理に先立ってリソース予約するリソース予約処理部とを具備したものであり、移動局によってリソース予約を行うことで、無線ＬＡＮ等の基地局を集中管理しないネットワークにおいてもリソース予約を可能とする、という作用を有する。
【００１６】
請求項８に記載の発明は、請求項７に記載の移動局装置において、リソース予約処理部は、移動局固有の優先度及び移動局の移動速度に応じてリソース予約する基地局数を決定することとしたものであり、移動局の移動速度が速いほど広範囲の基地局のリソースを予約できる、という作用を有する。
【００１７】
請求項９に記載の発明は、請求項７または８に記載の移動局装置において、リソース予約処理部は、移動局固有の優先度及び通信時間に応じてリソース予約する基地局数を決定することとしたものであり、移動局の通信時間が長い、すなわち従量制課金の場合に通信料金を多く支払うユーザに対して、より広範囲の基地局のリソースを予約できる、という作用を有する。
【００１８】
請求項１０に記載の発明は、請求項７乃至９のいずれかに記載の移動局装置において、リソース予約処理部は、移動局固有の優先度及び移動局上で使用されるアプリケーションに応じてリソース予約する基地局数を決定することとしたものであり、高料金のアプリケーションや、リソース不足によって品質が著しく低下するようなアプリケーションに対して、より広範囲の基地局のリソースを予約できる、という作用を有する。
【００１９】
請求項１１に記載の発明は、請求項７乃至１０のいずれかに記載の移動局装置において、リソースを移動局と基地局間の無線チャネルまたはデータ伝送レートとしたものであり、無線チャネルの確保だけでなく、通信品質の維持に不可欠なデータ伝送レートを確保することで、通信品質を維持したままハンドオーバ処理が行えるようになる、という作用を有する。
【００２０】
請求項１２に記載の発明は、１以上の移動局と通信する移動局インタフェースと、空きリソースと、現在使用中のリソースと、移動局毎にハンドオーバ処理に先立って確保する予約リソースとを管理し、新規接続を要求する移動局に対しては、空きリソースを割り当て、ハンドオーバを要求する移動局に対しては、リソースが予約されていれば、予約リソースを割り当て、予約されていないが空きリソースがある場合には、空きリソースを割り当てるリソースの管理をするリソース管理部とを備えた基地局装置であり、予約リソースを使用してスムーズなハンドオーバが可能となるだけでなく、予約リソースがない場合にも、空きリソースがあれば柔軟にリソースを割り当てて、ハンドオーバ処理を行うことが可能である、という作用を有する。
【００２１】
請求項１３に記載の発明は、請求項１２に記載の基地局装置において、リソース管理部は、移動局の予約を発生順に管理し、予約したリソースを使用せずに予約を削除する場合には、最も古いものから削除することとしたものであり、予約リソースの管理を簡素化することが可能である、という作用を有する。
【００２２】
請求項１４に記載の発明は、請求項１２または１３に記載の基地局装置において、リソースを移動局と基地局間の無線チャネルまたはデータ伝送レートとしたものであり、無線チャネルの確保だけでなく、通信品質の維持に不可欠なデータ伝送レートを確保することで、通信品質を維持したままハンドオーバ処理が行えるようになる、という作用を有する。
【００２３】
請求項１５に記載の発明は、請求項７乃至１１のいずれかに記載の移動局装置と、請求項１２乃至１４のいずれかに記載の基地局装置とからなる移動通信システムであり、前記移動局装置は、移動局装置固有の優先度に基づいて決定した数の基地局のリソースをハンドオーバ処理に先立って予約し、ハンドオーバ処理時に先の予約リソースを使用して移動先基地局下での通信を開始することとしたものであり、優先度が高いほど広範囲のリソースを予約することができ、スムーズなハンドオーバを実現することができる、という作用を有する。
【００２４】
請求項１６に記載の発明は、移動局装置と、請求項１３乃至１４のいずれかに記載の基地局装置と、少なくとも１つの基地局装置と通信する基地局インタフェースと、移動局の位置情報及び優先度を管理する移動局情報管理部と、前記移動局装置の優先度に基づいて決定した数の移動局装置周辺の基地局に対して、ハンドオーバ用リソースを予約するリソース予約部とからなる資源予約装置と、を具備したものであり、移動局の負荷が低くなり、各基地局のリソースを集中管理する手段と組み合わせることにより、効率よくリソースを配分することが可能となる、という作用を有する。
【００２５】
請求項１７に記載の発明は、請求項１５または１６に記載の移動通信システムにおいて、リソースは、移動局装置と基地局装置間の無線チャネル、またはデータ伝送レートであることとしたものであり、ソースを移動局と基地局間の無線チャネルまたはデータ伝送レートとしたものであり、無線チャネルの確保だけでなく、通信品質の維持に不可欠なデータ伝送レートを確保することで、通信品質を維持したままハンドオーバ処理が行えるようになる、という作用を有する。
【００２６】
以下、本発明の実施の形態について、図を用いて説明する。
【００２７】
（実施の形態１）
本発明の実施の形態１における移動通信システムについて、図１から図８を用いて説明する。
【００２８】
図１は本実施の形態におけるネットワーク構成の一例を示すものである。図１において、１は移動局、１０１〜１１２は基地局、１１３〜１２４は１０１〜１１２の各基地局のカバーする通信エリアである。
【００２９】
図１では、各基地局１０１〜１１２のカバーする通信エリア１０１〜１１２は格子状に分割されており重複はないが、格子状に限定されるものでなく円形、六角形または三角形状であってもよく、また重複があってもよい。
【００３０】
また、移動局１は、基地局１０１〜１１２を介して通信する。移動局１と基地局１０１〜１１２間の通信は、無線、有線のどちらでも構わない。
【００３１】
以下、本実施の形態における移動通信システムの構成及び動作について、説明する。
【００３２】
本実施の形態に関する移動通信システムでは、少なくとも図１に示すような構成をとる。図１において、移動局１は、最初は基地局１０６のカバーするエリア１１８に存在するため、基地局１０６を介して通信しているが、エリア１２２に移動した際には、新しい通信先として基地局１１０と再接続する、いわゆるハンドオーバ処理を行うことにより、通信を継続することができる。
【００３３】
しかし、エリア１２２に移動した時点で基地局１１０に十分なリソースがない場合には、ハンドオーバ時に通信品質が劣化するか、ハンドオーバ自体が失敗する結果となる。
【００３４】
本発明の主旨は、図１において、ハンドオーバ発生前に複数の基地局に対して必要なリソースを予約しておき、移動局の移動時に、予約しておいたリソースを使用してハンドオーバ処理を行うことで、ハンドオーバの前後での通信品質保持、及びハンドオーバ自体の成功率を向上することにある。ここで、基地局のリソースとは移動局と基地局間の無線チャネル、移動局との間のデータ送受信レート、等複数の移動局で共用するリソースを対象とする。
【００３５】
移動局１がリソースを予約する基地局数は、移動局１に固有の優先度に基づいて決定する。リソース予約対象となる基地局は、移動局の近隣から選択する。
選択は、以下のいずれか、またはその他の方法で行う。
（１）受信電界強度の強い順
（２）受信電界強度の時間辺り上昇率が大きい順
（３）ランダムに選択
上記（１）または（２）を使用した場合には、移動先候補となる確率の高い基地局を選択可能であるし、特に（２）を使用した場合には、移動先候補となる基地局を選択できる確率が高くなる。
【００３６】
一方、（３）を使用した場合には、移動先ではない基地局を選択する可能性があるが、処理負荷が低く、装置コストを低く抑えられる。
【００３７】
図１において、移動局１のリソース予約可能な基地局数は３であり、移動局近隣の基地局の中からランダムに選択された基地局１０５、１０６、１１０に対して予約を行う。
【００３８】
予約は、移動局１から、移動局１によって選択された各基地局に対して、直接または他の基地局を介して、予約情報を送信するか、または、予約基地局数を含めた予約情報を現在通信中の基地局に送信し、予約情報を受信した基地局によって、予約基地局数分の近隣基地局を選択して、予約情報を転送することによって行う。ここで、予約情報は移動局１が必要とするリソースの情報、移動局１の識別情報等を含む。
【００３９】
移動局１が必要とするリソースとしては、移動局１の通信速度や、使用するアプリケーションによって決定されるものとする。例えば、使用帯域が６４ｋｂｐｓの動画ストリーミングを使用する場合には、６４ｋｂｐｓ以上のリソースを予約する旨を予約情報に含める。
【００４０】
次に、移動局１は基地局１１０のカバーするエリア１２２へ移動するが、既に基地局１１０のリソースは確保済みであるため、ハンドオーバ時にも必要なリソースが確保され、通信品質は維持される。ところが、次に移動局１が基地局１１１のカバーするエリア１２３へ移動した場合、基地局１１１のリソースは予約されていないため、空きリソースがない場合には、ハンドオーバ後の通信品質は悪化するか、またはハンドオーバは失敗することになる。
【００４１】
以下、本実施の形態における各装置の動作を説明する。
【００４２】
まず、本実施の形態における移動局の構成及び動作を図２、図４を用いて説明する。
【００４３】
図２は、移動局１の構成図である。移動局１はＬ１／Ｌ２処理部２１、Ｌ３処理部２２、上位層処理部２３、リソース予約処理部２４からなる。
【００４４】
Ｌ１／Ｌ２処理部２１は、１以上の基地局との通信における物理層、及びリンク層処理を行う。Ｌ３処理部２２は、ネットワーク層における処理を行う。具体的には、基地局や、他の移動局、サーバ等との通信処理を行う。上位層処理部では、トランスポート層、セション層、アプリケーション層、移動局とユーザとのインタフェース処理等を行う。リソース予約処理部２４は、ハンドオーバ処理のための基地局のリソース予約処理を行う。
【００４５】
移動局１のリソース予約処理部２４におけるリソース予約処理を図４に示すフローチャートを用いて説明する。
【００４６】
移動局１は、予約トリガが発生する（Ｓ１１）。予約トリガとしては、通信開始、通信エリア移動、一定時間毎、アプリケーションの使用開始またはファイルのダウンロード開始、移動局１の移動速度が閾値以上に達した時のうちのいずれか、または２個以上組み合わせて使用する。
【００４７】
移動局１の優先度に基づいて予約基地局数を決定する（Ｓ１２）。ここで、予約基地局数は優先度に加えて、以下のいずれか、または以下の組み合わせに基づいて決定してもよい。
（１）移動局の移動速度：速度が高いほど予約基地局数が多い
（２）移動局における通信時間：通信時間が長いほど予約基地局数が多い
（３）移動局のアプリケーションの優先度：高優先度（高料金）なアプリケーションほど予約基地局数が多い
次に、決定した数の基地局に対して予約処理を行い（Ｓ１３）、Ｓ１１に戻る。予約処理は前述したように、移動局１が選択した基地局に対して直接予約情報を送信してもよいし、現在通信中の基地局に対して予約情報を送信した後、他の基地局に対して転送してもよい。現在通信中の基地局によって予約情報を転送する場合には、予約基地局の選択は現在通信中の基地局によって行う。
【００４８】
次に、本実施の形態における基地局の構成及び動作について説明する。
【００４９】
図３は、本実施の形態における基地局の構成を示す図である。
【００５０】
基地局は、Ｌ１／Ｌ２処理部３１、３３、Ｌ３処理部３２、リソース管理部３４を備える。Ｌ１／Ｌ２処理部３１は、１以上の移動局１との通信における物理層およびリンク層処理を行う。Ｌ１／Ｌ２処理部３３は、基幹網に接続され、他の基地局や外部網との通信における物理層及びリンク層処理を行う。Ｌ３処理部３２は、ネットワーク層処理を行う。リソース管理部３４は、移動局１との通信に使用されるリソースの管理を行う。
【００５１】
図７はリソース管理部３４によって管理するリソースを表す図である。管理する全体リソース７０は、使用中リソース７１、空きリソース７２、予約リソース７３からなる。
【００５２】
使用中リソース７１は、実際に通信に使用中のリソースである。予約リソース７３は、現時点で未使用ではあるが、将来のハンドオーバのために確保しているリソースである。空きリソース７２は、全体リソース７０から前記使用中リソース７１及び予約リソース７３を除いたものである。
【００５３】
以下の説明では、全体のリソースが固定であると仮定しているが、変化した場合にも同様に本発明は適用できる。
【００５４】
図８は移動局１からの予約を管理する予約キューを表す。移動局１からの予約は到着順に予約キューに挿入する。予約キューには移動局１，２，３の順で予約が挿入されており、全移動局の予約リソースをあわせたリソースが、図７における予約リソースとなる。
【００５５】
基地局のリソース管理部３４におけるリソース予約処理を、図５に示すフローチャートを用いて説明する。リソース予約処理は、大きく分けて（１）予約処理と（２）予約キュー更新処理からなる。
【００５６】
最初に、（１）予約処理について説明する。
【００５７】
基地局は、移動局１または、他の基地局から移動局１の予約情報を受信する（Ｓ１０１）。移動局１と現在通信中であるかどうかを調べ（Ｓ１０２）、通信中であれば、リソース予約は不要と判断する。移動局１と現在通信中でない場合、既に予約キューに移動局１の予約があるかどうかを調べ（Ｓ１０３）、既にある場合には、その予約を削除し（Ｓ１０４）、ない場合には、そのまま空きリソースが予約リソースに対して十分あるかどうかを調べ（Ｓ１０５）、十分ある場合には、予約キューの最後尾に移動局１の予約を挿入する（Ｓ１０６）。
【００５８】
ここで、図５では、移動局１と現在通信中の基地局１０６が予約情報を転送する場合の処理を省略している。前述のように、基地局１０６が予約情報を転送する場合、基地局１０６が予約先基地局を選択する方法と、移動局１が、予約先基地局を指定する方法のいずれかを選択できる。
【００５９】
次に、（２）予約キュー更新処理について説明する。
【００６０】
予約キュー更新トリガが発生する（Ｓ１０７）と、予約キューが空でない場合（Ｓ１０８）、キュー中の先頭の予約を削除する（Ｓ１０９）。予約キューが図８の状態の場合、移動局１の予約８１が先頭にあるので、予約８１が予約キューから削除される。
【００６１】
予約キュー更新トリガは、一定時間毎に発生させるか、予約リソースが所定の閾値を超えるか、または空きリソースが所定の閾値を下回るか、のうちのいずれか一つまたは、二つ以上を組み合わせて発生させる。
【００６２】
次に、図１、図６を用いて、移動局１の移動に沿ってハンドオーバ処理における基地局の動作について説明する。
【００６３】
図１において、移動局はエリア１１８、１２２、１２３の順に移動し、エリア間の移動時にハンドオーバトリガが発生する。
【００６４】
以下、移動局１がエリア１１８から１２２に移動するときに発生する１回目のハンドオーバトリガにおける基地局１１０の動作を説明する。
【００６５】
図６はハンドオーバトリガまたは移動局１からの新規呼接続要求が発生したときの処理を表すフローチャートである。
【００６６】
移動局１がエリア１１８から１２２へ移動する際にハンドオーバトリガが発生する（Ｓ１１３）。次に予約キューに移動局１の予約があるかどうかを調べる（Ｓ１１４）。基地局１１０の予約キューには移動局１の予約があるので、予約を削除し（Ｓ１１７）、予約リソースを用いてハンドオーバ処理を終了する（Ｓ１１８）。
【００６７】
次に、移動局１がエリア１２２から１２３へ移動するときに発生する２回目のハンドオーバトリガにおける基地局１１２の動作について図６を用いて説明する。
【００６８】
ハンドオーバトリガが発生し（Ｓ１１３）、予約キューに移動局１の予約があるかどうかを調べる（Ｓ１１４）。予約が存在しないので、次に空きリソースが、要求リソースに対して十分あるかどうかを調べる（Ｓ１１５）。空きリソースが十分でない場合には、ハンドオーバは中止される（Ｓ１１６）。空きリソースが十分ある場合には、空きリソースを使用してハンドオーバ処理を終了する（Ｓ８１１８）。
【００６９】
また、新規接続の場合には、図６において、予約キューに移動局の予約が存在しない場合の処理と同様である。
【００７０】
以上のように本発明では、移動局に固有の優先度に基づいた複数の基地局にハンドオーバ用のリソースを予め確保しておくことで、スムーズなハンドオーバを実現する。また、基地局における予約管理処理においては、優先度を管理する必要がないため、処理負荷が低い。
【００７１】
（実施の形態２）
本発明の実施の形態２における移動通信システムついて、図９から図１３を用いて説明する。
【００７２】
図９は本実施の形態における移動通信システムのネットワーク構成とリソース予約形態及び端末の移動軌跡を示すものであり、１は移動局、１０１〜１１２は基地局、１１３〜１２４は１０１〜１１２の各基地局のカバーする通信エリア、１２５は資源予約装置である。基地局１０１〜１１２は、資源予約装置に接続されている。図においては、各基地局のカバーする通信エリアに重複はないが、重複があってもよい。移動局１は基地局１０１〜１１２を介して通信する。移動局１と基地局１０１〜１１２間、基地局１０１〜１１２と資源予約装置間の通信は、無線、有線のどちらでも構わない。
【００７３】
以下、本実施の形態における移動通信システムの構成及び動作について、説明する。
【００７４】
本実施の形態に関する移動通信システムでは、少なくとも図９に示すような構成をとる。実施の形態１と同様、移動局１が通信エリア１１８→１２２→１２３の順に移動し、ハンドオーバが発生する。
【００７５】
本実施の形態においては、実施の形態１と異なり、ハンドオーバ用のリソース予約は移動局ではなく、資源予約装置１２５が行う。また、移動局の位置情報は基地局によって資源予約装置１２５へ伝えられ、資源予約装置１２５では、各移動局の位置、及び優先度情報を管理する。
【００７６】
資源予約装置１２５は、移動局の近隣の基地局の中から、移動局の優先度に基づいて決定した数の基地局を選択して、予約情報を送信する。
【００７７】
選択は、実施の形態１と異なり移動局と基地局間の受信電界強度の測定を行わないため、以下のいずれか、またはその他の方法で行う。
（１）空きリソースの多い順
（２）予約リソースの少ない順
（３）ランダム
（１）または（２）の場合には、基地局毎のリソース状況を資源予約装置において管理する必要があるが、リソースの有効利用が可能である。（３）の場合には、リソースの有効利用は困難であるが、処理負荷が低い。
【００７８】
以下、本実施の形態における各装置の構成を説明する。
【００７９】
図１０は本実施の形態における移動局１の構成図である。移動局はＬ１／Ｌ２処理部２１、Ｌ３処理部２２、上位層処理部２３からなる。
Ｌ１／Ｌ２処理部２１は、１以上の基地局との通信における物理層、及びリンク層処理を行う。
【００８０】
Ｌ３処理部２２は、ネットワーク層における処理を行う。具体的には、基地局や、他の移動局、サーバ等との通信処理を行う。
【００８１】
上位層処理部では、トランスポート層、セション層、アプリケーション層、移動局とユーザとのインタフェース処理等を行う。
【００８２】
図１１は本実施の形態における基地局の構成図である。
【００８３】
基地局はＬ１／Ｌ２処理部３１、３３、Ｌ３処理部３２、リソース管理部３４、移動局情報処理部３４を備える。Ｌ１／Ｌ２処理部３１は、１以上の移動局との通信における物理層およびリンク層処理を行う。Ｌ１／Ｌ２処理部３３は、基幹網及び資源予約装置に接続され、他の基地局や外部網、資源予約装置との通信における物理層及びリンク層処理を行う。リソース管理部３４は、移動局との通信に使用されるリソースの管理を行う。
【００８４】
移動局情報処理部３５は、現在通信中の移動局の識別情報及び、移動局が現在使用しているリソース量を資源予約装置に報告する。リソース管理部３４によるリソース管理、リソース予約、ハンドオーバ処理については実施の形態１と全く同様であるのでここでは説明を省略する。
【００８５】
図１２は本実施の形態における資源予約装置１２５の構成図である。資源予約装置はＬ１／Ｌ２処理部１２５−１、Ｌ３処理部１２５−２、リソース予約処理部１２５−３、移動局情報管理部１２５−４を備える。
【００８６】
Ｌ１／Ｌ２処理部１２５−１は、基幹網に接続され、基地局や外部網との通信における物理層及びリンク層処理を行う。Ｌ３処理部１２５−２は、ネットワーク層処理を行う。リソース予約処理部１２５−３は、移動局のハンドオーバ用のリソース予約処理を行う。移動局情報管理部１２５−４は、基地局から報告された移動局の位置情報、現在使用しているリソース量及び優先度情報を管理する。
【００８７】
上記のように構成された資源予約装置のリソース予約処理について図１３のフローチャートを用いて説明する。
【００８８】
予約トリガが発生する（Ｓ２２）。予約トリガとしては、移動局の位置変化（通信開始を含む）、一定時間毎のいずれか、または両方の時点において発生させる。移動局の優先度に基づいて予約基地局数を決定する（Ｓ２３）。ここで、予約基地局数は優先度に加えて、移動局の通信時間に基づいて決定してもよい。
【００８９】
次に、移動局の近隣から決定した数の基地局を選択し、選択した基地局に対して予約情報を送信する（Ｓ２４）。予約情報は、移動局の識別情報、移動局が現在使用しているリソース量を含む。
【００９０】
次に、図９を用いて移動局１の移動に沿って動作を説明する。
移動局１がエリア１１８で通信を開始すると、基地局１０６はエリア１１８に移動局１が存在する旨を資源予約装置１２５に報告する。
【００９１】
資源予約装置１２５において、移動局１の通信が開始したことで予約トリガが発生し、移動局１の優先度に基づいて予約基地局数が３であることを決定する。次に資源予約装置１２５は、移動局１の近隣の基地局からランダムに３の基地局１０２、１０５、１１０を選択し、移動局１の識別情報と必要なリソース情報を含む予約情報を送信する。
【００９２】
基地局１０２、１０５、１１０において移動局１の予約が予約キューの最後尾に挿入される。
【００９３】
移動局１がエリア１１８から１２２へ移動するとハンドオーバが発生する。基地局１１０の予約キューには移動局１の予約が存在するため、リソースを割り当ててハンドオーバ処理を終了する。
【００９４】
次に移動局１がエリア１２２から１２３へ移動するとサイドハンドオーバが発生する。基地局１１１においては、移動局１の予約は予約キューに存在しないため、空きリソースがあればリソースを割り当ててハンドオーバ処理を終了し、空きリソースがない場合には、ハンドオーバ処理は拒否される。
【００９５】
以上説明したように本発明は、資源予約装置によって予約処理が行われるため、移動局の負荷が低くなる。また、各基地局のリソースを集中管理する手段と組み合わせることにより、効率よくリソースを配分することが可能となる。
【００９６】
【発明の効果】
以上のように本発明によれば、ハンドオーバ処理に先立って基地局のリソースを予約することにより、間断のない通信を実現できる。また、移動局毎の優先度に従ってリソース予約を行う基地局数を決定するため、リソース予約処理が単純化でき、また料金やアプリ種別等を優先度に反映することによって、サービスの多様化を実現できる。
【図面の簡単な説明】
【図１】本発明の実施の形態１における通信システムのネットワーク構成とリソース予約の流れを示す図
【図２】本発明の実施の形態１における移動局の構成図
【図３】本発明の実施の形態１及び２における基地局の構成図
【図４】本発明の実施の形態１における移動局１の予約処理を表すフローチャート
【図５】本発明の実施の形態１及び２における基地局の予約処理を表すフローチャート
【図６】本発明の実施の形態１及び２における基地局のハンドオーバ処理または新規接続処理におけるリソース割り当て処理を表すフローチャート
【図７】本発明の実施の形態１及び２における基地局毎のリソース配分を表す図
【図８】本発明の実施の形態１及び２における基地局の管理する予約キューを表す図
【図９】本発明の実施の形態２における通信システムのネットワーク構成とリソース予約の流れを示す図
【図１０】本発明の実施の形態２における移動局の構成図
【図１１】本発明の実施の形態２における基地局の構成図
【図１２】本発明の実施の形態２における資源予約装置の構成図
【図１３】本発明の実施の形態２における資源予約装置の予約処理を表すフローチャート
【符号の説明】
１  移動局
２１  Ｌ１／Ｌ２処理部
２２  Ｌ３処理部
２３  上位層処理部
２４  リソース予約処理部
１０１〜１１２  基地局
１１３〜１２４  基地局１０１〜１１２の通信エリア
３１、３３  Ｌ１／Ｌ２処理部
３２  Ｌ３処理部
３４  リソース管理部
３５  移動局情報処理部
１２５  資源予約装置
１２５−１  Ｌ１／Ｌ２処理部
１２５−２  Ｌ３処理部
１２５−３  リソース予約処理部
１２５−４  移動局情報管理部
【図１】
2004266713.tif 000003
【図２】
2004266713.tif 000004
【図３】
2004266713.tif 000005
【図４】
2004266713.tif 000006
【図５】
2004266713.tif 000007
【図６】
2004266713.tif 000008
【図７】
2004266713.tif 000009
【図８】
2004266713.tif 000010
【図９】
2004266713.tif 000011
【図１０】
2004266713.tif 000012
【図１１】
2004266713.tif 000013
【図１２】
2004266713.tif 000014
【図１３】
2004266713.tif 000015